(57)【要約】      （修正有）【課題】移動や運搬を容易とすると共に、多くの筆記スペースを確保できる組立て式ホワイトボードを提供する。【解決手段】組立て式ホワイトボードＡは、筆記面部１Ａを有した複数のボードパネル１を具備し、ボードパネル１は、平面多角形の板状に形成されていると共に、全ての辺部１０に夫々磁石２が配置されている。【選択図】図１
0003215764.tif 000002
【実用新案登録請求の範囲】
【請求項１】
筆記面部を有した複数のボードパネルを具備し、
前記ボードパネルは、平面多角形の板状に形成されていると共に、全ての辺部に夫々磁石が配置されている組立て式ホワイトボード。
【請求項２】
前記磁石が前記辺部に対して夫々２個配置されていると共に、同一の前記辺部に配置された前記磁石が互いに異なる磁極となるように配置されている請求項１に記載の組立て式ホワイトボード。
【請求項３】
前記ボードパネルに前記磁石を収容する収容凹部が備えられ、前記収容凹部は、前記ボードパネルの前記辺部から平面方向に向かって、前記磁石の平面形状に適合する形状に形成されている請求項１又は２に記載の組立て式ホワイトボード。
【請求項４】
前記磁石が板状を呈し、前記磁石の平面部が前記筆記面部に対して同面にされている請求項１乃至３いずれか１項に記載の組立て式ホワイトボード。
【考案の詳細な説明】
【技術分野】
【０００１】
本考案は、複数のボードパネル同士を互いに連結して組立て自在なホワイトボードに関する。
【背景技術】
【０００２】
従来、ホワイトボードは、両面に筆記面部を備えた一枚のボードパネルが、床載置自在な支持フレームに対して筆記面部を表裏反転自在に支持されたものが周知であり、例えば、会議等において筆記面部を参加者に向けた状態で支持フレームを床に載置し、筆記面部に文字や図を筆記しながら会議を進めることができる。
【０００３】
また、ホワイトボードは、ボードパネルの筆記面部の表面に余白が無くなった場合に、ボードパネルを反転させて裏面を参加者に向けるようにしている。
【０００４】
このようなホワイトボードに用いられる筆記具は、筆記面部を拭くことで消すことができるインクを用いたホワイトボードマーカーであり、筆記された文字や図の内容の説明が終了して次の説明の内容を筆記するときや筆記面部に余白が無くなったときに、筆記面部を拭いて文字や図を消すようにしている。
【考案の概要】
【考案が解決しようとする課題】
【０００５】
しかしながら、従来のホワイトボードは、一枚のボードパネルが、床載置自在な支持フレームに対して筆記面部を表裏反転自在に支持されたものであるため、移動が困難であって、現実的には一定の位置に据え置きとなっている。
【０００６】
また、一枚のボードパネルの筆記面部が表裏２面であるため、筆記内容が多くなった場合に筆記面部の筆記スペースが不足することがあり、筆記スペースを確保するために誤って記録が必要な内容まで消してしまうことがあった。
【０００７】
このため、移動が容易であると共に、多くの筆記スペースが確保できるホワイトボードが望まれている。  
【０００８】
尚、本考案に関連する先行技術文献のうち、出願人が当該実用新案登録出願時に知っているものがないので、開示すべき先行技術文献情報はない。
【課題を解決するための手段】
【０００９】
このような課題を解決するために、本考案は、下記の技術的手段を採用した。
【００１０】
筆記面部を有した複数のボードパネルを具備し、前記ボードパネルは、平面多角形の板状に形成されていると共に、全ての辺部に夫々磁石が配置されている組立式ホワイトボードにしたことである。
【００１１】
前記磁石が前記辺部に対して夫々２個配置されていると共に、同一の前記辺部に配置された前記磁石が互いに異なる磁極となるように配置されていることが好ましい。
【００１２】
前記ボードパネルに前記磁石を収容する収容凹部が備えられ、前記収容凹部は、前記ボードパネルの前記辺部から平面方向に向かって、前記磁石の周囲の辺部形状に適合する形状に形成されていることが好ましい。
【００１３】
前記磁石が板状を呈し、前記磁石の平面側の吸着部が前記筆記面部に対して同面にされていることが好ましい。
【図面の簡単な説明】
【００１４】
【図１】本考案に係る実施形態の組立て式ホワイトボードの斜視図である。
【図２】図１の(２)-(２)線断面図である。
【図３】ボードパネルの平面図である。
【図４】ボードパネルの他の形状を示す平面図である。
【図５】組立て式ホワイトボードの他の形状を示す斜視図である。
【図６】組立て式ホワイトボードの他の使用形態を示す斜視図である。
【考案を実施するための形態】
【００１５】
以下、本考案の実施形態に係る組立て式ホワイトボード(以下、「ホワイトボード」という)Ａを図１〜図３に基づいて説明する。
【００１６】
図１及び図２は、立体的に組み立てたホワイトボードＡの一例を示しており、図３に示すボードパネル１を複数枚用いて、所定の立体形状に組み立てたものであり、表面側の全ての面が筆記面部１Ａとして使用できるようになっている。
【００１７】
ボードパネル１は、表裏の両面を筆記面部１Ａとした正方形の板状として形成され、ボードパネル１の全ての辺部１０に夫々２個の磁石２が配されたものであり、ボードパネル１同士が互いに直角方向で隣り合うように、夫々の辺部１０同士を沿わせて配置することで、ボードパネル１同士が磁石２の吸着力で連結されて所定の立体形状のホワイトボードＡに形成できるようになっている。
【００１８】
ボードパネル１は、軽量で硬質の合成樹脂材を用いて長方形の板材として形成され、表裏面にホワイトボードマーカーで筆記できると共に、拭くことで消すことができる表面剤がコーティングされたものである。
【００１９】
尚、ボードパネル１は、軽量で硬質の合成樹脂材を用いたものに限らず、多数の紙材を重ね合わせて接着すると共に、圧縮してなる板材、軽量な金属材(磁性体、非磁性体)、木材等の、変形し難い硬質材からなる板材を用いることができ、いずれも、前述の表面剤を表裏面にコーティングするとよい。
【００２０】
また、ボードパネル１が磁性体の場合では、ボードパネル１の辺部１０同士の吸着による連結以外にも、一方のボードパネル１の辺部１０と他方のボードパネル１の筆記面部１Ａとの吸着による連結ができるため、ホワイトボードＡの立体形状のバリエーションを増やすことができると共に、2枚のボードパネル１の補強材としても利用することもできる。
【００２１】
磁石２は、厚みをボードパネル１の厚みと同厚として、長方形の板状に形成されたネオジウム磁石であり、辺部１０に形成された収容凹部１１に収容されていると共に、収容凹部１１に対して固着されている。
【００２２】
尚、磁石２の形状は、例示した長方形に限らず、正方形、台形、半円形等、少なくとも一つ以上の直線状の辺部を有するものであればよい。
【００２３】
収容凹部１１に対する磁石２の固着方法は、確実な固着状態を保持できるものであればよく、例えば、ボードパネル１と同色の粘着テープや強力な接着剤、溶着等による固着方法が挙げられる。
【００２４】
ここで収容凹部１１は、磁石２が適合して収容される形状で凹設されており、磁石２が収容された状態で、ボードパネル１の筆記面部１Ａと磁石２の平面側の吸着部２Ａとが同面となると共に、ボードパネルの１の辺部１０と磁石２の辺側の吸着部２Ｂとが同面となるようにされている。
【００２５】
磁石２は、同一の辺部１０で隣り合うと共に、同一の筆記面部１Ａに面する吸着部２Ａの磁極がＳ極２ＳとＮ極２Ｎとなるように配置されており、ボードパネル１同士を連結する際に、吸着部２Ａ、２ＢのＳ極２ＳとＮ極２Ｎとが向かい合うように、ボードパネル１を配置することで、ボードパネル１同士を連結することができる。
【００２６】
尚、磁石２の配設形態については、例示したようにボードパネル１に形成された収容凹部１１に収容する形態に限らず、収容凹部１１が無いボードパネル１の筆記面部１Ａに対して辺部１０に沿うように直接貼り付けて固定する形態としてもよい。
【００２７】
このようなボードパネル１は、磁石２の磁力によって、図１に示す立体的なホワイトボードＡを組み立てることができると共に、磁力に抗してボードパネル１同士を引き離すことによって簡単に分解できる。
【００２８】
また、分解時には、複数のボードパネル１を筆記面部１Ａ同士で対面させるように重ね合わせて仕舞うことができ、この仕舞い状態でも磁石２の重なり合うボードパネル１の磁石２同士が吸着しているため、ボードパネル１の重なり合った状態を保持することができるので、移動や運搬が極めて容易である。
【００２９】
また、ボードパネル１を、磁性体の金属材からなる机や棚等の引き出し、側壁、棚板等に貼り付けて収納することができるので、他の収納物に対して邪魔にならないように収納することができる。
【００３０】
組み立てられたホワイトボードＡは、表面側が全て筆記面部１Ａとして利用できるので、例えば、使用していた一つの筆記面部１Ａに余白が無くなった場合、ホワイトボードＡを回転させて他の筆記面部１Ａを使用する、一つの筆記面部１Ａと他の筆記面部１Ａとに異なる内容を書き入れて、ホワイトボードＡを回転させながら書かれた内容を比較する等、様々な使用方法で、広い範囲の筆記面部１Ａを確保することができる。
【００３１】
また、組み立てられたホワイトボードＡに対してあらたなボードパネル１を、筆記面部１Ａ同士が対面するように重ね合わせることによって、前述のようにホワイトボード１Ａを回転させることなく、何も書かれていない筆記面部１Ａを設けることができる。
【００３２】
また、立体的に組み立てられたホワイトボードＡに対して、あらたなボードパネル１を連結することで、その場でホワイトボードＡの大きさを大きくして、筆記面部１Ａの範囲を延長することができる。
【００３３】
ボードパネル１の形状は、長方形(図４(ａ))、三角形(図４(ｂ))、六角形(図４(ｃ))等、様々な多角形状のものが例示でき、これらのボードパネル１の組み合わせによって、図５(ａ)〜(ｃ)に示すような様々な立体形状のホワイトボードＡを構成することができる。
【００３４】
また、ホワイトボードＡは、立体的に組み立てた形態に限らず、図６に示すように、複数のボードパネル１を平面的に連結した形態としてもよく、この平面的に連結した形態では、例えば、磁石２に吸着する
【００３５】
ホワイトボードＡの使用形態として、磁性体からなる壁面(例えば黒板)に、ボードパネル１を貼り付けながら平面的に連結することで、平面的なホワイトボードＡとして使用することができる。
【００３６】
また、ホワイトボードＡの使用形態として、文字や図を筆記するためのもの以外にも、様々な立体形状に組み立てることによって、ショーケース、ディスプレイラック、ウエルカムボード、簡易撮影用ボックス、立体構造の勉強ツール、家具、棚、ごみ箱等の立体構造物にも使用が可能であり、これらの立体構造物として使用する場合にも、筆記面部１Ａに文字や図を書き入れることができると共に、前述の磁性体からなる壁面に貼り付けて使用することができる。
【００３７】
また、従来のホワイトボードでは、複数人が書き入れる場合、ホワイトボードの設置場所まで書きに行く必要があるが、本考案によるホワイトボードＡでは、個人毎が夫々のボードパネル１に書き入れてこれを持ち寄り、その場で組み立てることによって、全員が全ての内容をその場で一覧することができる
【００３８】
以上の構成とするホワイトボードＡは、移動や運搬が容易であると共に、多くの筆記スペースが確保でき、その上、あらゆる場所や人数に応じて形状を可変することができるので、優れた使用性を備えると共に、使用形態の自由度が極めて高いものである。
【００３９】
以上、本考案の実施形態について図面を参照して詳述してきたが、具体的な構成は、これらの実施の形態に限られるものではなく、本考案の要旨を逸脱しない範囲の設計の変更等があっても本考案に含まれる。
【００４０】
また、前述の各実施形態は、その目的及び構成等に特に矛盾や問題がない限り、互いの技術を流用して組み合わせることが可能である。
【符号の説明】
【００４１】
Ａ：ホワイトボード
１：ボードパネル
１Ａ：筆記面部
１０：辺部
１１：収容凹部
２：磁石
２Ａ：吸着部
２Ｂ：吸着部
２Ｓ：Ｓ極
２Ｎ：Ｎ極
【図１】
0003215764.tif 000003
【図２】
0003215764.tif 000004
【図３】
0003215764.tif 000005
【図４】
0003215764.tif 000006
【図５】
0003215764.tif 000007
【図６】
0003215764.tif 000008